(57)【要約】【課題】取っ手をインナーフレームの背面に容易に設置することのできる衣類処理装置を提供する。【解決手段】本発明による衣類処理装置は、前面パネル１０１及び衣類収容部を備える本体１０と、衣類投入口１０２を開閉するように前面パネル１０１に回転可能に設けられるドア１２とを含み、ドア１２は、本体１０の外側を向くように配置されるアウターフレーム１４と、アウターフレーム１４の前面に付着されるフロントガラス２０と、アウターフレーム１４の背面に結合され、本体１０の内側を向くように配置されるインナーフレーム１９と、フロントガラス２０と逆方向にインナーフレーム１９の背面に備えられる取っ手３５と、取っ手３５の側面を覆うようにアウターフレーム１４の外周部から突設されるフック４６と、フック４６に係止されるようにインナーフレーム１９の側面から突設されるフック結合部４７とを含む。【選択図】図７
2020124489.tif 000002
【特許請求の範囲】
【請求項１】
衣類処理装置であって、
衣類投入口が形成される前面パネル、及び前記衣類投入口から投入される衣類を収容する衣類収容部を備える本体と、
前記衣類投入口を開閉するように前記前面パネルに回転可能に設けられるドアとを備えてなり、
前記ドアは、
開口部を備え、前記本体の外側を向くように配置されるアウターフレームと、
前記開口部を覆うように前記アウターフレームの前面に付着されるフロントガラスと、
前記アウターフレームの背面に結合され、前記本体の内側を向くように配置されるインナーフレームと、
前記ドアが閉じた状態でユーザが手で前記ドアを引くことができるように、前記フロントガラスと逆方向に前記インナーフレームの背面に備えられる取っ手と、
前記取っ手の側面を覆うように前記アウターフレームの外周部から突設されるフックと、
前記フックに係止されるように前記インナーフレームの側面から突設されるフック結合部とを備えてなる、衣類処理装置。
【請求項２】
前記フックと前記フック結合部とは、前記取っ手の側面上で前記取っ手の厚さ方向に重なるように配置される、請求項１に記載の衣類処理装置。
【請求項３】
前記フックの一側の角部に第１面取り部が傾斜して形成され、
前記フック結合部の一側の角部に第２面取り部が傾斜して形成され、
前記フックと前記フック結合部とが結合されると、前記第１面取り部と前記第２面取り部とは逆方向を向くように配置される、請求項１に記載の衣類処理装置。
【請求項４】
前記フックの他側に第１接触部が形成され、
前記フック結合部の他側に第２接触部が形成され、
前記フックと前記フック結合部とが結合されると、前記第１接触部と前記第２接触部とは対向配置されて接触する、請求項１に記載の衣類処理装置。
【請求項５】
前記アウターフレーム及び前記インナーフレームは、それぞれ円形のリング状に形成されたものである、請求項１に記載の衣類処理装置。
【請求項６】
前記フックは、前記アウターフレームの円周方向に円弧状に形成されたものであり、
前記フック結合部は、前記取っ手の側面から複数突設され、
前記複数のフック結合部は、前記フックの円弧状に対応して離隔配置される、請求項５に記載の衣類処理装置。
【請求項７】
前記前面パネルは、
前記前面パネルにおいて前記本体の内側に向かって凹設され、前記衣類投入口を内側に有する凹部を備え、
前記インナーフレームの背面には、前記ドアが閉じた状態で前記凹部の凹み始める部分に接触する当接部が備えられ、
前記当接部は、前記ドアの中心を通る半径方向の水平線を基準に、前記インナーフレームの背面の上部に円周方向に延びてなる、請求項５に記載の衣類処理装置。
【請求項８】
前記取っ手は、前記インナーフレームの背面において円周方向に一部の円弧区間に凹設される、請求項１に記載の衣類処理装置。
【請求項９】
前記フックの端部から前記取っ手の側面に向かってフック突起が突設され、
前記フック突起の一側の角部に第１面取り部が傾斜して形成され、
前記フック突起の他側面に第１接触部が前記フックの内周面に対して垂直に形成され、
前記取っ手は、前記フックの内側に配置され、
前記取っ手の凹みの深さは、前記第１面取り部と前記第１接触部との間で規定される、請求項８に記載の衣類処理装置。
【請求項１０】
前記取っ手は、
前記アウターフレームの背面に接触するように前記取っ手の一面から突設される補強リブを備え、
前記取っ手及び前記補強リブの厚さの合計は、前記アウターフレームから突出する前記フックの突出長さよりも小さいものである、請求項８に記載の衣類処理装置。
【請求項１１】
前記取っ手は、前記ドアの中心を通る半径方向の水平線を基準に、前記インナーフレームの背面の上部に形成される、請求項１に記載の衣類処理装置。
【請求項１２】
前記取っ手は、平板状に形成されたものである、請求項１に記載の衣類処理装置。
【請求項１３】
前記取っ手は、
前記アウターフレームの背面に接触するように前記取っ手から突設される補強リブを備えてなる、請求項１に記載の衣類処理装置。
【請求項１４】
前記補強リブは、前記取っ手の前面から前記アウターフレームの背面に向かって複数突設され、
前記複数の補強リブは、前記取っ手の円周方向に延び、前記取っ手の半径方向に離隔して配置される、請求項１３に記載の衣類処理装置。
【請求項１５】
前記アウターフレームは、
前記フロントガラスの接着のための接着剤が充填される接着剤充填溝、及び前記接着剤充填溝から溢れる前記接着剤を収容する複数の接着剤溢出溝を備える平面部を備え、
前記複数の補強リブは、前記取っ手から前記アウターフレームに向かって前記取っ手の厚さ方向に前記複数の接着剤溢出溝と重なるように配置される、請求項１３に記載の衣類処理装置。
【請求項１６】
前記フック結合部は、前記取っ手の側面の厚さより薄い、請求項１に記載の衣類処理装置。
【請求項１７】
前記取っ手は、前記取っ手の側面から前記インナーフレームの半径方向内側に向って薄くなるように形成される、請求項１に記載の衣類処理装置。
【請求項１８】
前記取っ手は、前記取っ手の背面に取り付けられる取っ手パッドをさらに備えてなる、請求項１０に記載の衣類処理装置。
【請求項１９】
前記補強リブ、前記取っ手及び前記取っ手パッドの厚さの合計は、前記フックの突出長さに対応するものである、請求項１８に記載の衣類処理装置。
【発明の詳細な説明】
【技術分野】
【０００１】
〔本発明〕
本発明は、ドアを引くためにドアに備えられる取っ手のフック結合構造を備える衣類処理装置に関する。
〔関連技術〕
本発明は、韓国特許出願第１０−２０１９−００１４０６４号（出願日：２０１９年２月１日）、韓国特許出願第１０−２０１９−００５８２３８号（出願日：２０１９年５月１７日）、及び韓国特許出願第１０−２０１９−０１２７３３０号（出願日：２０１９年１０月１４日）に基づくパリ条約４条の優先権主張を伴ったものであり、当該韓国特許出願に開示された内容に基づくものである。参考のために、当該韓国特許出願の明細書及び図面の内容は本願明細書の一部に包摂されるものである。
【背景技術】
【０００２】
一般に、衣類処理装置には、衣類の洗濯機能や乾燥機能を有する装置が含まれる。なお、衣類処理装置は、衣類の洗濯機能及び乾燥機能を共に有するように構成されることもある。
【０００３】
衣類処理装置は、衣類投入口を備える本体と、衣類投入口を開閉するように構成されるドアと、本体の内部に備えられる衣類収容部とを含む。
【０００４】
ドアは、ドアフレームと、ドアフレームの前面に付着されるフロントガラスと、ドアフレームに装着されて衣類投入口から突出するドアウィンドウとを含んでもよい。
【０００５】
ドアフレームは、ドアの閉鎖時に本体の外側を向くように配置されるアウターフレームと、ドアの閉鎖時に本体の内側を向くように配置されるインナーフレームとから構成されてもよい。
【０００６】
一方、ユーザがドアを引いて開くことができるように、ドアフレームに取っ手を設置する必要がある。
【０００７】
しかし、アウターフレームの前面にフロントガラスが接着される場合、割れやすいガラス製のフロントガラスの特性により、フロントガラスに取っ手を形成したり装着することは困難である。
【０００８】
また、アウターフレームの前面はフロントガラスにより覆われ、アウターフレームの背面はインナーフレームにより覆われることから、アウターフレームにおいて取っ手を設置できる面積が非常に狭いので、取っ手の設置位置は非常に制限されざるを得ない。
【０００９】
よって、取っ手を設置自由度の高いインナーフレームの背面に容易に設置及び結合するための構造が必要である。
【発明の概要】
【発明が解決しようとする課題】
【００１０】
本発明は、従来の問題を解決するためになされたものであり、本発明の第１の目的は、取っ手をインナーフレームの背面に容易に設置することのできる衣類処理装置を提供することにある。
【００１１】
本発明の第２の目的は、取っ手とアウターフレームとの結合状態を強固に維持することのできる衣類処理装置を提供することにある。
【００１２】
本発明の第３の目的は、取っ手の強度を維持しながらも取っ手の厚さを最小化することのできる衣類処理装置を提供することにある。
【課題を解決するための手段】
【００１３】
〔本発明の一の態様〕
本発明の一の態様は以下の通りである。
〔１〕  衣類処理装置であって、
衣類投入口が形成される前面パネル、及び前記衣類投入口から投入される衣類を収容する衣類収容部を備える本体と、
前記衣類投入口を開閉するように前記前面パネルに回転可能に設けられるドアとを備えてなり、
前記ドアは、
開口部を備え、前記本体の外側を向くように配置されるアウターフレームと、
前記開口部を覆うように前記アウターフレームの前面に付着されるフロントガラスと、
前記アウターフレームの背面に結合され、前記本体の内側を向くように配置されるインナーフレームと、
前記ドアが閉じた状態でユーザが手で前記ドアを引くことができるように、前記フロントガラスと逆方向に前記インナーフレームの背面に備えられる取っ手と、
前記取っ手の側面を覆うように前記アウターフレームの外周部から突設されるフックと、
前記フックに係止されるように前記インナーフレームの側面から突設されるフック結合部とを備えてなる、衣類処理装置。
〔２〕  前記フックと前記フック結合部とは、前記取っ手の側面上で前記取っ手の厚さ方向に重なるように配置される、〔１〕に記載の衣類処理装置。
〔３〕  前記フックの一側の角部に第１面取り部が傾斜して形成され、
前記フック結合部の一側の角部に第２面取り部が傾斜して形成され、
前記フックと前記フック結合部とが結合されると、前記第１面取り部と前記第２面取り部とは逆方向を向くように配置される、〔１〕に記載の衣類処理装置。
〔４〕  前記フックの他側に第１接触部が形成され、
前記フック結合部の他側に第２接触部が形成され、
前記フックと前記フック結合部とが結合されると、前記第１接触部と前記第２接触部とは対向配置されて接触する、〔１〕に記載の衣類処理装置。
〔５〕  前記アウターフレーム及び前記インナーフレームは、それぞれ円形のリング状に形成されたものである、〔１〕に記載の衣類処理装置。
〔６〕  前記フックは、前記アウターフレームの円周方向に円弧状に形成されたものであり、
前記フック結合部は、前記取っ手の側面から複数突設され、
前記複数のフック結合部は、前記フックの円弧状に対応して離隔配置される、〔５〕に記載の衣類処理装置。
〔７〕  前記前面パネルは、
前記前面パネルにおいて前記本体の内側に向かって凹設され、前記衣類投入口を内側に有する凹部を備え、
前記インナーフレームの背面には、前記ドアが閉じた状態で前記凹部の凹み始める部分に接触する当接部が備えられ、
前記当接部は、前記ドアの中心を通る半径方向の水平線を基準に、前記インナーフレームの背面の上部に円周方向に延びてなる、〔５〕に記載の衣類処理装置。
〔８〕  前記取っ手は、前記インナーフレームの背面において円周方向に一部の円弧区間に凹設される、〔１〕に記載の衣類処理装置。
〔９〕  前記フックの端部から前記取っ手の側面に向かってフック突起が突設され、
前記フック突起の一側の角部に第１面取り部が傾斜して形成され、
前記フック突起の他側面に第１接触部が前記フックの内周面に対して垂直に形成され、
前記取っ手は、前記フックの内側に配置され、
前記取っ手の凹みの深さは、前記第１面取り部と前記第１接触部との間で規定される、〔８〕に記載の衣類処理装置。
〔１０〕  前記取っ手は、
前記アウターフレームの背面に接触するように前記取っ手の一面から突設される補強リブを備え、
前記取っ手及び前記補強リブの厚さの合計は、前記アウターフレームから突出する前記フックの突出長さよりも小さいものである、〔８〕に記載の衣類処理装置。
〔１１〕  前記取っ手は、前記ドアの中心を通る半径方向の水平線を基準に、前記インナーフレームの背面の上部に形成される、〔１〕に記載の衣類処理装置。
〔１２〕  前記取っ手は、平板状に形成されたものである、〔１〕に記載の衣類処理装置。
〔１３〕  前記取っ手は、
前記アウターフレームの背面に接触するように前記取っ手から突設される補強リブを備えてなる、〔１〕に記載の衣類処理装置。
〔１４〕  前記補強リブは、前記取っ手の前面から前記アウターフレームの背面に向かって複数突設され、
前記複数の補強リブは、前記取っ手の円周方向に延び、前記取っ手の半径方向に離隔して配置される、〔１３〕に記載の衣類処理装置。
〔１５〕  前記アウターフレームは、
前記フロントガラスの接着のための接着剤が充填される接着剤充填溝、及び前記接着剤充填溝から溢れる前記接着剤を収容する複数の接着剤溢出溝を備える平面部を備え、
前記複数の補強リブは、前記取っ手から前記アウターフレームに向かって前記取っ手の厚さ方向に前記複数の接着剤溢出溝と重なるように配置される、〔１３〕に記載の衣類処理装置。
〔１６〕  前記フック結合部は、前記取っ手の側面の厚さより薄い、〔１〕に記載の衣類処理装置。
〔１７〕  前記取っ手は、前記取っ手の側面から前記インナーフレームの半径方向内側に向って薄くなるように形成される、〔１〕に記載の衣類処理装置。
〔１８〕  前記取っ手は、前記取っ手の背面に取り付けられる取っ手パッドをさらに備えてなる、〔１０〕に記載の衣類処理装置。
〔１９〕  前記補強リブ、前記取っ手及び前記取っ手パッドの厚さの合計は、前記フックの突出長さに対応するものである、〔１８〕に記載の衣類処理装置。
【００１４】
上記第１〜第３の目的を達成するために、本発明による衣類処理装置は、衣類投入口が形成される前面パネル、及び前記衣類投入口から投入される衣類を収容する衣類収容部を備える本体と、前記衣類投入口を開閉するように前記前面パネルに回転可能に設けられるドアとを含み、前記ドアは、開口部を備え、前記本体の外側を向くように配置されるアウターフレームと、前記開口部を覆うように前記アウターフレームの前面に付着されるフロントガラスと、前記アウターフレームの背面に結合され、前記本体の内側を向くように配置されるインナーフレームと、前記ドアが閉じた状態でユーザが手で前記ドアを引くことができるように、前記フロントガラスと逆方向に前記インナーフレームの背面に備えられる取っ手と、前記取っ手の側面を覆うように前記アウターフレームの外周部から突設されるフックと、前記フックに係止されるように前記インナーフレームの側面から突設されるフック結合部とを含む。
【００１５】
本発明の一態様によれば、前記フックと前記フック結合部とは、前記取っ手の側面上で前記取っ手の厚さ方向に重なるように配置されるようにしてもよい。
【００１６】
本発明の一態様によれば、前記フックの一側の角部に第１面取り部が傾斜して形成され、前記フック結合部の一側の角部に第２面取り部が傾斜して形成され、前記フックと前記フック結合部とが結合されると、前記第１面取り部と前記第２面取り部とは逆方向を向くように配置されるようにしてもよい。
【００１７】
本発明の一態様によれば、前記フックの他側に第１接触部が形成され、前記フック結合部の他側に第２接触部が形成され、前記フックと前記フック結合部とが結合されると、前記第１接触部と前記第２接触部とは対向配置されて接触するようにしてもよい。
【００１８】
本発明の一態様によれば、前記アウターフレーム及び前記インナーフレームは、それぞれ円形のリング状に形成されるようにしてもよい。
【００１９】
本発明の一態様によれば、前記フックは、前記アウターフレームの円周方向に円弧状に形成され、前記フック結合部は、前記取っ手の側面から複数突設され、前記複数のフック結合部は、前記フックの円弧状に対応して離隔配置されるようにしてもよい。
【００２０】
本発明の一態様によれば、前記前面パネルは、前記前面パネルにおいて前記本体の内側に向かって凹設され、前記衣類投入口を内側に有する凹部を含み、前記インナーフレームの背面には、前記ドアが閉じた状態で前記凹部の凹み始める部分に接触する当接部が備えられ、前記当接部は、前記ドアの中心を通る半径方向の水平線を基準に、前記インナーフレームの背面の上部に円周方向に延びるようにしてもよい。
【００２１】
本発明の一態様によれば、前記取っ手は、前記インナーフレームの背面において円周方向に一部の円弧区間に凹設されるようにしてもよい。
【００２２】
本発明の一態様によれば、前記フックの端部から前記取っ手の側面に向かってフック突起が突設され、前記フック突起の一側の角部に第１面取り部が傾斜して形成され、前記フック突起の他側面に第１接触部が前記フックの内周面に対して垂直に形成され、前記取っ手は、前記フックの内側に配置され、前記取っ手の凹みの深さは、前記第１面取り部と前記第１接触部との間で規定されるようにしてもよい。
【００２３】
本発明の一態様によれば、前記取っ手は、前記アウターフレームの背面に接触するように前記取っ手の一面から突設される補強リブを含み、前記取っ手及び前記補強リブの厚さの合計は、前記アウターフレームから突出する前記フックの突出長さより小さくなるようにしてもよい。
【００２４】
本発明の一態様によれば、前記取っ手は、前記ドアの中心を通る半径方向の水平線を基準に、前記インナーフレームの背面の上部に形成されるようにしてもよい。
【００２５】
本発明の一態様によれば、前記取っ手は、平板状に形成されるようにしてもよい。
【００２６】
本発明の一態様によれば、前記取っ手は、前記アウターフレームの背面に接触するように前記取っ手から突設される補強リブを含むようにしてもよい。当該構成によれば、前記補強リブは、前記取っ手の強度を補強しながらも、前記取っ手の大きさを最小化することができる。
【００２７】
本発明の一態様によれば、前記補強リブは、前記取っ手の前面から前記アウターフレームの背面に向かって複数突設され、前記複数の補強リブは、前記取っ手の円周方向に延び、前記取っ手の半径方向に離隔して配置されるようにしてもよい。
【００２８】
本発明の一態様によれば、前記アウターフレームは、前記フロントガラスの接着のための接着剤が充填される接着剤充填溝、及び前記接着剤充填溝から溢れる前記接着剤を収容する複数の接着剤溢出溝を備える平面部を含み、前記複数の補強リブは、前記取っ手から前記アウターフレームに向かって前記取っ手の厚さ方向に前記複数の接着剤溢出溝と重なるように配置されるようにしてもよい。
【００２９】
本発明の一態様によれば、前記フック結合部は、前記取っ手の側面の厚さより薄く形成されるようにしてもよい。
【００３０】
本発明の一態様によれば、前記取っ手は、前記取っ手の側面から前記インナーフレームの半径方向内側へ行くにつれて薄くなるように形成されるようにしてもよい。
【００３１】
本発明の一態様によれば、前記取っ手は、前記取っ手の背面に取り付けられる取っ手パッドをさらに含むようにしてもよい。
【００３２】
本発明の一態様によれば、前記補強リブ、前記取っ手及び前記取っ手パッドの厚さの合計は、前記フックの突出長さに対応するようにしてもよい。
【発明の効果】
【００３３】
本発明による衣類処理装置においては次の効果が得られる。
【００３４】
第一に、取っ手をインナーフレームの背面に凹設するので、取っ手をインナーフレームの背面に形成することが容易である。
【００３５】
第二に、取っ手とインナーフレームが共にアウターフレームの背面にフック結合されるので（フック結合構造）、アウターフレームとの結合が容易である。
【００３６】
第三に、アウターフレームとインナーフレームとを前後方向（軸方向）に結合する際に、アウターフレームのフックのフック突起の面取り部と取っ手のフック結合部の面取り部とが当接し、アウターフレームと取っ手とが結合されると、アウターフレームのフックの接触部と取っ手のフック結合部の接触部とが面接触するので、フック結合部がフックの内側に入ることは容易であるが、フック結合部がフックから離脱することは制限される。
【００３７】
第四に、アウターフレームの背面に弾性溝を備え、アウターフレームの第１フックとインナーフレームの第２フックとが結合される際に第１フックが半径方向外側に弾性変形するようにするので、第２フックが第１フックの内側に入ることが容易であり、アウターフレームとインナーフレームとの組立性を向上させることができる。
【００３８】
第五に、補強リブは、取っ手からアウターフレームの背面に向かって取っ手の厚さ方向に接着剤溢出溝と重なるように突設されるので、アウターフレームの前面にフロントガラスの接着のための接着剤充填溝及び接着剤溢出溝が形成されることにより低下するアウターフレームの強度を補強することができる。
【図面の簡単な説明】
【００３９】
【図１】本発明による衣類処理装置を示す斜視図である。
【図２】図１のドアを前方から見た正面図である。
【図３】図２のドアを分解して示す分解図である。
【図４】図２のドアの背面を示す概念図である。
【図５】ドアが本体の前面パネルに装着されて衣類投入口を閉じた状態を示す断面図である。
【図６】アウターフレームとインナーフレームとのフック結合構造を示す、図４のＶＩ−ＶＩ線断面図である。
【図７】アウターフレームと取っ手とのフック結合構造を示す、図４のＶＩＩ−ＶＩＩ線断面図である。
【図８】図４のインナーフレームを前方から見た概念図、及びフックが部分的に形成された取っ手を拡大して示す概念図である。
【発明を実施するための形態】
【００４０】
以下、添付図面を参照して本発明の実施形態について詳細に説明するが、図面番号に関係なく同一又は類似の構成要素には同一の符号を付し、それについての重複する説明は省略する。以下で用いられる構成要素の接尾辞である「モジュール」及び「部」は、明細書の作成を容易にするために付与又は混用されるものであり、それ自体が有意性や有用性を有するものではない。また、本明細書に開示された実施形態について説明するにあたり、関連する公知技術についての具体的な説明が本明細書に開示された実施形態の要旨を不明にすると判断される場合は、その詳細な説明を省略する。さらに、添付図面は本明細書に開示された実施形態を容易に理解できるようにするためのものにすぎず、添付図面により本明細書に開示された技術的思想が限定されるものではなく、本発明の思想及び技術範囲に含まれるあらゆる変更、均等物乃至代替物を含むものと理解されるべきである。
【００４１】
第１、第２などのように序数を含む用語は様々な構成要素を説明するために用いられるが、上記構成要素は上記用語により限定されるものではない。上記用語は１つの構成要素を他の構成要素と区別する目的でのみ用いられる。
【００４２】
ある構成要素が他の構成要素に「連結」又は「接続」されていると言及された場合は、他の構成要素に直接連結又は接続されていてもよく、中間にさらに他の構成要素が存在してもよいものと解すべきである。それに対して、ある構成要素が他の構成要素に「直接連結」又は「直接接続」されていると言及された場合は、中間にさらに他の構成要素が存在しないものと解すべきである。
【００４３】
単数の表現には、特に断らない限り複数の表現が含まれる。
【００４４】
本明細書において、「含む」や「有する」などの用語は、明細書に記載された特徴、数字、段階、動作、構成要素、部品又はそれらの組み合わせが存在することを指定しようとするもので、１つ又はそれ以上の他の特徴、数字、段階、動作、構成要素、部品又はそれらの組み合わせの存在や付加可能性を予め排除するものではないと理解すべきである。
【００４５】
図１は本発明による衣類処理装置を示す斜視図である。
【００４６】
本発明による衣類処理装置は、本体１０、衣類収容部及びドア１２を含んでもよい。
【００４７】
本体１０は、衣類処理装置の外形を形成する。本体１０は、直方体状に形成されてもよい。
【００４８】
本体１０は、衣類処理装置の前面を形成する前面パネル１０１と、衣類処理装置の背面を形成する背面パネルと、衣類処理装置の両側面を形成する側面パネルと、衣類処理装置の上面を形成する上面パネルと、衣類処理装置の下面を形成する下面パネルとから構成されてもよい。
【００４９】
背面パネル及び左右両側の側面パネルは、１つの長方形のプレートがコ字状にベンディングされて形成されてもよい。こうすることにより、本体１０の構造的な剛性が向上する。
【００５０】
前面パネル１０１には、衣類投入口１０２が円形状に形成されてもよい（図５参照）。衣類投入口１０２は前面パネル１０１に貫通形成され、衣類を衣類投入口１０２から衣類収容部に投入することができる。
【００５１】
前面パネル１０１には、衣類投入口１０２を囲むように本体１０の内側に向かって凹設される凹部１０３が形成されてもよい。衣類投入口１０２は凹部１０３の内側に貫通形成される。凹部１０３にはドア１２の一部が収容される。
【００５２】
ドア１２は、衣類投入口１０２を開閉するように、ヒンジ２５により前面パネル１０１に回転可能に結合されてもよい。
【００５３】
本体１０の内部に備えられる衣類収容部は、乾燥機能を実行できるようにドラムを備えてもよく、洗濯機能と乾燥機能を共に実行できるようにタブ及びドラムを備えてもよい。
【００５４】
本実施形態においては、洗濯機能と乾燥機能を共に実行できるように、本体１０の内部にタブ及びドラムが備えられる。タブは、円筒状に形成され、タブの長手方向の中心軸が水平に配置されてもよく、所定の角度で傾斜して配置されてもよい。タブの内部には洗濯水を貯蔵することができる。
【００５５】
ドラムは、タブの内部に回転可能に備えられてもよい。
【００５６】
タブの前端部には、衣類投入口１０２に連通するようにガスケットが設置され、タブの内部に貯蔵された洗濯水が本体１０の収容空間に漏れることを防止することができる。
【００５７】
ドラムは、タブの内部でタブに対して回転可能に設置されてもよい。
【００５８】
ドラムの前部は開放されて衣類投入口１０２に連通し、衣類投入口１０２からドラムの内部に衣類を収容することができる。
【００５９】
タブの背面には駆動モータが設置される。駆動モータは回転軸を介してドラムの背面に連結され、駆動モータが駆動すると、駆動モータの動力が回転軸を介してドラムに伝達され、ドラムが回転する。
【００６０】
ドラムの円周面には複数の貫通孔が形成され、洗濯水などの流体が複数の貫通孔からドラムの内部に流入したりドラムの外部に流出する。
【００６１】
ドラムは、内部に複数のリフターを備え、ドラムの内部に収容された衣類を回転させることにより洗濯機能及び乾燥機能を実行するように構成されてもよい。
【００６２】
コントロールユニット１１は、本体１０に備えられてもよく、ドア１２に備えられてもよい。本実施形態においては、コントロールユニット１１が本体１０の前面パネル１０１の上部に配置された場合を示す。
【００６３】
コントロールユニット１１は、衣類処理装置で行われる行程に関する情報を表示し、ユーザ操作の入力を受けるように構成される。コントロールユニット１１は、ユーザ操作の入力のための円形のノブ及び複数のボタンを備えてもよい。また、コントロールユニット１１は、視覚情報を表示するためのディスプレイ部を備えてもよい。
【００６４】
図２は図１のドア１２を前方から見た正面図であり、図３は図２のドア１２を分解して示す分解図である。
【００６５】
ドア１２は、ドアフレーム１３、ドアウィンドウ２３、フロントガラス２０、ヒンジユニット２４及びロックユニット３０から構成されてもよい。
【００６６】
ドアフレーム１３は、リング状に形成されてもよい。
【００６７】
ドアフレーム１３は、アウターフレーム１４及びインナーフレーム１９から構成されてもよい。アウターフレーム１４及びインナーフレーム１９は、合成樹脂材質（例えば、ＡＢＳ材質、ＰＣ材質など）からなるようにしてもよい。
【００６８】
アウターフレーム１４及びインナーフレーム１９は、合成樹脂材質からなる場合、射出成形により製作してもよい。
【００６９】
アウターフレーム１４及びインナーフレーム１９は、それぞれリング状に形成され、互いに前後方向に重なるように配置されて結合されてもよい。アウターフレーム１４とインナーフレーム１９との結合構造の詳細については後述する。
【００７０】
アウターフレーム１４は、ドア１２が閉じた状態で本体１０の外側を向くように配置されるのでアウターフレームと命名し、インナーフレーム１９は、ドア１２が閉じた状態で本体１０の内側を向くように配置されるのでインナーフレームと命名する。アウターフレーム１４を第１フレームと命名し、インナーフレーム１９を第２フレームと命名してもよい。
【００７１】
アウターフレーム１４及びインナーフレーム１９の内側には、それぞれ円形の開口部１８が互いに対応して形成される。
【００７２】
開口部１８は、アウターフレーム１４又はインナーフレーム１９の中心から偏心して配置されてもよい。例えば、開口部１８の中心の方がアウターフレーム１４又はインナーフレーム１９の中心より上方に配置されてもよい。
【００７３】
上記構成によれば、アウターフレーム１４及びインナーフレーム１９は、それぞれ円周方向に沿って幅が変化するようにしてもよい。すなわち、アウターフレーム１４及びインナーフレーム１９は、それぞれ外径と内径（開口部１８の直径）間の距離（幅）が最上端から最下端へ行くほど遠くなる（広くなる）ように構成されてもよい。
【００７４】
ドラムの中心は、本体１０の高さ中心（１／２の高さ）より高い位置に配置されてもよい。
【００７５】
ドラムは、回転による微細な振動は別として、本体１０の高さ方向において所定高さに固定される。
【００７６】
消費者は、洗濯機の容量及び大きさが同一であれば、本体１０を前方から見た場合にドア１２が大きいものを好む。
【００７７】
また、消費者は、ドア１２を通してドラムの内部を見ることができ、できればドラムの内部空間に対して広い視野が確保されるものを好む。
【００７８】
このような消費者のニーズを満たすためにドア１２を大きくする場合、ドラムの位置が固定された状態では、ドア１２を下方に大きくしなければならない。
【００７９】
また、ドアフレーム１３の中心は、衣類投入口１０２又は開口部１８の中心より下方に移動させなければならない。同様に、ドアフレーム１３の中心は、開口部１８に対応して配置されるドアウィンドウ２３に対して下方に移動させなければならない。
【００８０】
さらに、ドア１２を大きくする場合、ドア１２の一部は、凹部１０３の外側に突出することが好ましい。ドア１２の直径は、凹部１０３より大きいことが好ましい。
【００８１】
フロントガラス２０は、所定の半径を有する円形状に形成される。フロントガラス２０は、ガラス材質からなる。
【００８２】
フロントガラス２０は、前面及び背面が平坦に形成される。
【００８３】
フロントガラス２０は、一定の厚さを有する円板状に形成され、上下左右のどこから見ても屈曲がない。
【００８４】
このように、ガラス製のフロントガラス２０が平坦な前面及び背面を有して円形状に形成されるので、凸状の前面を有して不完全な円形状に形成されていた合成樹脂製の従来のドアカバーに比べて、ドア１２の高級感が向上する。
【００８５】
非透光領域２２内には透光性のアライメントマーク２２１が形成される。アライメントマーク２２１は、アウターフレーム１４へのフロントガラス２０の付着位置をガイドするための構成である。同図においては、フロントガラス２０の下部（６時方向）に円形のアライメントマーク２２１が形成された場合を示す。しかし、本発明はこれに限定されるものではない。アライメントマーク２２１は、多角形状に形成されてもよく、ライン状に形成されてもよい。アライメントマーク２２１の位置を変更してもよいことは言うまでもない。
【００８６】
フロントガラス２０は、次のレイヤ構造により、透光領域２１、非透光領域２２及びアライメントマーク２２１を実現することができる。
【００８７】
第１例として、フロントガラス２０は、透光性のガラス材質からなるガラス本体と、前記ガラス本体の背面を覆うように配置され、非透光領域２２を形成する遮蔽層とを含む。ここで、前記遮蔽層が配置されていない部分は、透光領域２１及びアライメントマーク２２１を形成する。前記遮蔽層は、前記ガラス本体の背面にガラス印刷により形成されるようにしてもよい。
【００８８】
第２例として、フロントガラス２０は、透光性のガラス材質からなるガラス本体と、前記ガラス本体の背面を覆うように配置されるフィルムとを含み、前記フィルムは、透光領域２１に対応して透光性を有するように形成される透光部と、非透光領域２２に対応して非透光性を有するように形成される非透光部と、アライメントマーク２２１に対応して透光性を有するように形成されるアライメント部とを含む。
【００８９】
第３例として、フロントガラス２０は、透光性のガラス材質からなるガラス本体と、前記ガラス本体の背面を覆うように配置されるフィルムとを含み、前記第２例とは異なり、前記フィルムが、透光領域２１に対応して形成される第１ホールと、非透光領域２２に対応して非透光性を有するように形成される非透光部と、アライメントマーク２２１に対応して形成される第２ホールとを含む。すなわち、前記第２例では、前記フィルムにおいて透光領域２１及びアライメントマーク２２１に対応する部分が透光性を有するように形成され、それに対し、前記第３例では、前記フィルムにおいて透光領域２１及びアライメントマーク２２１に対応する部分が穿孔形成される。
【００９０】
フロントガラス２０は、ドアフレーム１３の開口部１８を覆うように配置されてもよい。フロントガラス２０は、シーラントや接着剤などにより、アウターフレーム１４の前面に接着されてもよい。
【００９１】
ガラス材質の特性上、フロントガラス２０は、結合孔を開けると割れやすくなるので、ガラスの割れを防止するために、接着剤などを用いてアウターフレーム１４に付着する。
【００９２】
一方、ガラス製のフロントガラス２０の荷重は、ドア１２の総荷重に対して相対的に大きな割合を占める。フロントガラス２０の荷重を支持するために、アウターフレーム１４の前面には、フロントガラス２０の付着のための付着ガイド３４が備えられる。
【００９３】
特に、フロントガラス２０は、強化ガラスからなるようにしてもよい。強化ガラスの特性上、フロントガラス２０の前面及び背面は強度が強いが、フロントガラス２０の側面である円形の外周面は強度が強くない。
【００９４】
それを補完するために、付着ガイド３４は、フロントガラス２０の外周面を囲むように、アウターフレーム１４の前面外周端から前方に突設され、フロントガラス２０の荷重を支持すると共に、外部の衝撃からフロントガラス２０の側面を保護する。
【００９５】
付着ガイド３４の突出長さは、少なくともフロントガラス２０の厚さの約２／３を覆う長さであってもよい。
【００９６】
これは、付着ガイド３４の突出長さが短すぎると、外部の衝撃がフロントガラス２０の外周面に加わり、フロントガラス２０の荷重を十分に支持できないからである。
【００９７】
例えば、フロントガラス２０の外周面は、直線部２０２及び複数の曲線部２０１、２０３からなるようにしてもよい（図７参照）。複数の曲線部２０１、２０３は、フロントガラス２０の前面に連結される第１曲線部２０１と、フロントガラス２０の背面に連結される第２曲線部２０３とからなるようにしてもよい。複数の曲線部２０１、２０３は、それぞれ所定の曲率を有する曲面状に形成される。
【００９８】
直線部２０２は、第１及び第２曲線部２０１、２０３間に配置され、第１及び第２曲線部２０１、２０３にそれぞれ連結される。フロントガラス２０の厚さにおける第１曲線部２０１、直線部２０２及び第２曲線部２０３の占める割合は、それぞれ１／３であってもよい。
【００９９】
付着ガイド３４は、フロントガラス２０の第２曲線部２０３及び直線部２０２を覆うように構成されてもよい。
【０１００】
付着ガイド３４は、アウターフレーム１４の前面縁部から突設されてもよい。付着ガイド３４は、リング状に延び、内部にフロントガラス２０を収容するための空間を形成する。
【０１０１】
付着ガイド３４は、所定の内径を有し、円形をなす。付着ガイド３４の内径は、フロントガラス２０の外径に対応し、よって、付着ガイド３４は、フロントガラス２０の外周面を囲むように構成される。
【０１０２】
付着ガイド３４は、フロントガラス２０の前面と同一平面を形成するように、所定の厚さで突設されてもよい。上記構成によれば、付着ガイド３４とフロントガラス２０間に段差がないので、よりシンプルな外観を実現することができる。
【０１０３】
フロントガラス２０の内側及び外側には、それぞれ透光領域２１及び非透光領域２２が形成されてもよい。
【０１０４】
透光領域２１とは、光の少なくとも一部が透過するように構成され、反対側や内部が見えるように構成される領域を意味する。よって、透光領域２１は、半透光領域を含む概念である。
【０１０５】
透光領域２１は、アウターフレーム１４の開口部１８、インナーフレーム１９の開口部１８、及びドアウィンドウ２３に対応して配置される。よって、ドア１２が閉じた状態で、ユーザは透光領域２１を通して衣類収容部を見ることができる。
【０１０６】
透光領域２１の中心は、アウターフレーム１４の開口部１８及びインナーフレーム１９の開口部１８の中心に対応する位置に配置される。ここで、対応する位置には、中心が完全に一致する場合の位置だけでなく、中心の偏心方向が同じ場合の位置も含まれる。すなわち、透光領域２１の中心と開口部１８の中心が一致してもよく、透光領域２１の偏心した方向と開口部１８の偏心した方向が同じでもよい。
【０１０７】
本実施形態においては、開口部１８の中心がドアフレーム１３の中心から上方（１２時方向）に偏心して配置され、それに対応して、透光領域２１の中心がフロントガラス２０の中心から上方（１２時方向）に偏心して配置された場合を示す。ここで、透光領域２１の中心と開口部１８の中心が一致するようにしてもよい。
【０１０８】
非透光領域２２は、透光領域２１を囲むように形成され、光を透過させず、ガラス自体が黒色に見えるようにしてもよい。
【０１０９】
非透光領域２２は、ドアフレーム１３の開口部１８及びドアフレーム１３の一部を除く部分を覆って遮蔽するように配置される。
【０１１０】
透光領域２１とそれを囲む非透光領域２２との境界線は、非透光領域２２により明確に区分されるようにしてもよい。
【０１１１】
あるいは、網点（ハーフトーン）技法により透光領域２１と非透光領域２２との境界をぼかし、透光領域２１から非透光領域２２へと視覚的になめらかに移行するようにしてもよい。そのために、非透光領域２２は、透光領域２１の周辺に形成される複数の遮蔽ドットを含み、前記複数の遮蔽ドットは、透光領域２１へ行くほど密度が低くなるように形成されてもよい。
【０１１２】
アウターフレーム１４は、平面部１５及び曲面部１６から構成されてもよい。
【０１１３】
平面部１５は、フロントガラス２０の背面に接触し、平面部１５の一部は、非透光領域２２と重なるように配置されてもよい。平面部１５に接着剤が塗布され、平面部１５にフロントガラス２０が接着されてもよい。
【０１１４】
アウターフレーム１４の平面部１５の前面には、接着剤を充填するための接着剤充填溝４３が形成される。接着剤充填溝４３は、平面部１５の前面において平面部１５の厚さ方向に凹設されてもよい。
【０１１５】
接着剤充填溝４３に接着剤が収容され、接着剤により平面部１５にフロントガラス２０の背面が接着されてもよい。
【０１１６】
接着剤を接着剤充填溝４３に充填する際に、接着剤が接着剤充填溝４３の外側又は内側に溢れることがある。接着剤充填溝４３から溢れる接着剤を収容するために、接着剤充填溝４３の内側及び外側には、それぞれ接着剤溢出溝４４１、４４２がリング状に凹設されてもよい（図６参照）。
【０１１７】
接着剤充填溝４３及び複数の接着剤溢出溝４４１、４４２は、アウターフレーム１４の円周方向に延設されてもよい。
【０１１８】
接着剤充填溝４３及び複数の接着剤溢出溝４４１、４４２は、平面部１５の外側に形成されてもよい。
【０１１９】
フロントガラス２０の非透光領域２２は、平面部１５の接着剤充填溝４３及び接着剤溢出溝４４１、４４２を覆うように配置されてもよい。
【０１２０】
複数の接着剤溢出溝４４１、４４２は、第１接着剤溢出溝４４１及び第２接着剤溢出溝４４２からなるようにしてもよい。
【０１２１】
第１接着剤溢出溝４４１は、接着剤充填溝４３の半径方向外側にリング状に形成されてもよい。第２接着剤溢出溝４４２は、接着剤充填溝４３の内側にリング状に形成されてもよい。複数の接着剤溢出溝４４１、４４２は、接着剤充填溝４３に充填されていた接着剤が溢れる際に溢れる接着剤を収容する。
【０１２２】
平面部１５の下部には、複数の水排出孔４８が厚さ方向に貫通形成され、フロントガラス２０の背面とアウターフレーム１４の前面間に溜まる水又は湿気が水排出孔４８からドア１２の外部に排出されるようにしてもよい。
【０１２３】
曲面部１６は、平面部１５の内側端からインナーフレーム１９の開口部１８の外周部に向けて、所定の曲率を有する円弧状に屈曲形成されてもよい。平面部１５の内側部分と曲面部１６は、透光領域２１の外縁部と重なるように配置されてもよい。曲面部１６の半径方向内側に開口部１８が形成されてもよい。
【０１２４】
平面部１５の最外縁部からは、円周方向に沿って付着ガイド３４が突設されてもよい。アウターフレーム１４の付着ガイド３４は、フロントガラス２０の外縁部を囲むように構成され、フロントガラス２０の外縁部がアウターフレーム１４の平面部１５から半径方向外側に離脱することを防止する。
【０１２５】
アウターフレーム１４の前面及び外周面には、メッキ層１７がクロムメッキにより形成されてもよい。アウターフレーム１４は、クロムメッキ液に完全に浸漬されてクロムメッキが施されることにより、アウターフレーム１４の表面全体にメッキ層１７が形成されるようにしてもよい。
【０１２６】
メッキ層１７は、アウターフレーム１４に銀色の金属光沢を持たせるように構成されてもよい。よって、メッキ層１７は、明るい銀色により円形の水滴のように見える効果を奏する。また、メッキ層１７は、外見的に高級感などの感性を感じさせる。
【０１２７】
ドアウィンドウ２３は、ドア１２が閉じた状態で衣類投入口１０２に対応するように配置されてもよい。ドアウィンドウ２３は、インナーフレーム１９の開口部１８に対応するようにドアフレーム１３に装着されてもよい。
【０１２８】
ドアウィンドウ２３は、透明な材質、例えば透光性を有する合成樹脂材質からなり、ドアウィンドウ２３を通して衣類収容部の内部空間を目視できるようにしてもよい。ドアウィンドウ２３は、合成樹脂材質に限定されるものではなく、ガラス材質からなるようにしてもよい。
【０１２９】
アウターフレーム１４とインナーフレーム１９間には、ドアウィンドウ２３の外縁部が挿入されて結合されるようにしてもよい。
【０１３０】
ドアウィンドウ２３の外縁部は、平面状に形成され、アウターフレーム１４の曲面部１６の後端とインナーフレーム１９の内側端間に配置されて固定されるようにしてもよい。
【０１３１】
ドア１２が閉じた状態で、アウターフレーム１４及びインナーフレーム１９の一部は、凹部１０３の前方に突出し、アウターフレーム１４及びインナーフレーム１９の他の一部は、凹部１０３に収容されるようにしてもよい。
【０１３２】
アウターフレーム１４の平面部１５は、凹部１０３の前方に突出するように凹部１０３の外側に配置され、アウターフレーム１４の曲面部１６の後端は、凹部１０３の内側に収容されるようにしてもよい。
【０１３３】
インナーフレーム１９の外周部の前部は、凹部１０３の外側前方に突出し、インナーフレーム１９の外周部の後部は、凹部１０３に収容されるようにしてもよい。
【０１３４】
フロントガラス２０は、凹部１０３から外側前方に離隔して垂直に配置されてもよい。
【０１３５】
ドア１２は、ヒンジユニット２４により本体１０に対して前後方向に回転可能に設置されてもよい。
【０１３６】
ヒンジユニット２４は、ヒンジ２５、ヒンジホルダ２８及びブッシュ２９を含んでもよい。
【０１３７】
ヒンジ２５は、本体１０に固定され、ドアフレーム１３に回転可能に結合されてもよい。ヒンジ２５は、本体１０に結合される板状のベース部２６と、ベース部２６から突設されてドアフレーム１３に回転可能に結合される回転結合部２７とを備えてもよい。回転結合部２７は、複数備えられ、上下方向に離隔して配置されてもよい。
【０１３８】
ヒンジホルダ２８は、ドアフレーム１３に結合されて回転結合部２７を支持し、回転結合部２７がドアフレーム１３から離脱することを防止する。
【０１３９】
ブッシュ２９は、回転結合部２７の回転軸に嵌められ、回転軸が円滑に回転できるようにする。
【０１４０】
ドア１２の一側にヒンジユニット２４が取り付けられ、ドア１２の他側にロックユニット３０が備えられてもよい。ロックユニット３０は、ドア１２を本体１０にロック又はロック解除するように構成される。
【０１４１】
ロックユニット３０は、シャフト３１、ドアラッチ３２及びスプリング３３を含んでもよい。
【０１４２】
シャフト３１は、ドアラッチ３２を貫通するように構成され、ドアフレーム１３に取り付けられてもよい。スプリング３３は、ドアラッチ３２の回転時にドアラッチ３２が復元できるように付勢する。
【０１４３】
上記構成によれば、ドアラッチ３２は、ドアフレーム１３に回転及び復元可能に構成され、ドア１２を本体１０にロック又はロック解除する。
【０１４４】
図４は図２のドア１２の背面を示す概念図であり、図５はドア１２が本体１０の前面パネル１０１に装着されて衣類投入口１０２を閉じた状態を示す断面図であり、図６はアウターフレーム１４とインナーフレーム１９とのフック結合構造を示す、図４のＶＩ−ＶＩ線断面図であり、図７はアウターフレーム１４と取っ手３５とのフック結合構造を示す、図４のＶＩＩ−ＶＩＩ線断面図であり、図８は図４のインナーフレーム１９を前方から見た概念図、及びフック４７が部分的に形成された取っ手３５を拡大して示す概念図である。
【０１４５】
図５は図１のコントロールユニット１１が前面パネル１０１の上部から除去された状態を示す。
【０１４６】
インナーフレーム１９の背面には当接部１９２が備えられる。当接部１９２は、ドア１２が閉じた状態で凹部１０３の凹み始める部分に接触するように形成される。
【０１４７】
当接部１９２は、円弧状の断面形状を有し、曲面状に形成されてもよい。
【０１４８】
当接部１９２は、凹部１０３の凹み始める部分に向けて突状に形成されてもよい。
【０１４９】
凹部１０３の凹み始める部分は、当接部１９２より直径が小さい円弧曲面状に形成されてもよい。
【０１５０】
当接部１９２と凹部１０３とは、外接するように形成される。
【０１５１】
当接部１９２は、ドア１２の中心を通る半径方向の水平線より高い位置となるように、インナーフレーム１９の背面の上部に円周方向に延びてもよい。
【０１５２】
インナーフレーム１９の背面の上部は凹部１０３の凹み始める部分に接触し、インナーフレーム１９の背面の下部は凹部１０３の凹み始める部分に接触しないようにしてもよい。すなわち、インナーフレーム１９は、背面の上部及び下部が非対称の構造であってもよい。
【０１５３】
当接部１９２の円周方向の長さは、インナーフレーム１９全体の円周方向の長さの１／２以下であってもよい。
【０１５４】
当接部１９２は、凹部１０３の凹み始める部分に点接触又は線接触するようにしてもよい。
【０１５５】
上記構成によれば、当接部１９２は、ドア１２が閉じた状態で凹部１０３の凹み始める部分に接触するので、多量の衣類がドラムの内周面に沿って回転してドアウィンドウ２３に衝突しても、ドア１２の浮き上がりが発生しなくなる。
【０１５６】
より詳細には、衣類が多量に投入されてドラムの内部に一杯に詰められた場合、水に濡れた衣類は重力と遠心力の影響を受けてドラムの下部に移動して回転し、ドアウィンドウ２３の下部を打撃することがある。
【０１５７】
衣類の回転によりドアウィンドウ２３に衝撃が加わると、ドアフレーム１３の背面の下部はドラムの内側から外側への加圧力を受ける。
【０１５８】
ドアフレーム１３の背面の左部及び右部にそれぞれ配置されるヒンジユニット２４及びロックユニット３０が凹部１０３に固定された状態で、当接部１９２が凹部１０３の凹み始める部分に接触してドア１２の浮き上がりに対して抵抗するので、ドアフレーム１３の下部に衝撃が加わっても、ドア１２の浮き上がりが発生しなくなる。
【０１５９】
また、当接部１９２は、ドア１２が閉じた状態で凹部１０３の凹み始める部分との接触を維持するので、ドラムの内部に収容された衣類からドアウィンドウ２３に衝撃が繰り返し加わっても、ドア１２と本体１０間で発生する振動及び騒音が最小限に抑えられる。
【０１６０】
当接部１９２は、ドアフレーム１３の円周方向に円弧曲面状に延びる。よって、当接部１９２は、ドアフレーム１３の背面の一側から突出する構造を有するのではなく、当接部１９２の周辺部に対して屈曲のない滑らかな曲面をなすので、ドア１２の外観が美麗になる。
【０１６１】
特に、当接部１９２は、凹部１０３の凹み始める部分に接触し、凹部１０３とドアウィンドウ２３間の隙間を遮蔽するので、ドア１２の外観品質がより向上する。
【０１６２】
図４及び図５に示すように、取っ手３５は、インナーフレーム１９の背面上部に凹設され、ユーザが取っ手３５を引いてドア１２を開放できるように構成される。
【０１６３】
インナーフレーム１９の背面は、曲面状に後方に突設されてもよい。
【０１６４】
従来は、取っ手がドアの前部に備えられるのが一般的であった。しかし、本発明においては、ドア１２の前面を覆うようにフロントガラス２０が備えられ、フロントガラス２０に取っ手３５を設置することは困難である。
【０１６５】
フロントガラス２０によりドア１２の前面に取っ手３５を備えることができず、取っ手３５は、ドア１２の背面に備えられることが好ましい。よって、取っ手３５は、インナーフレーム１９に備えられる。
【０１６６】
また、ユーザがドア１２を引きやすくするために、取っ手３５は、ドア１２の上部に設けられることが好ましい。これは、取っ手３５がドア１２の下部に設けられた場合、ユーザは取っ手３５を引くために腰及び膝をより多く曲げなければならないからである。
【０１６７】
さらに、ヒンジユニット２４及びロックユニット３０がドアフレーム１３の水平中心線上においてドアフレーム１３の左部及び右部にそれぞれ備えられるので、取っ手３５は、前記水平中心線より高い位置に配置されることが好ましい。ここで、前記水平中心線とは、ドアフレーム１３の中心を半径方向に水平に通る線をいう。
【０１６８】
その上、少ない力でドア１２を開閉できるように、取っ手３５は、ロックユニット３０より高い位置、すなわちドアフレーム１３の上部に配置されることが好ましい。
【０１６９】
取っ手３５は、インナーフレーム１９の背面上部に形成されてもよい。より具体的には、取っ手３５は、ドア１２が閉じた状態で本体１０の前方から見てロックユニット３０より高い位置である右上部、すなわちドアフレーム１３において１時方向と３時方向の間の区間に円周方向に形成されてもよい。
【０１７０】
取っ手３５は、インナーフレーム１９の背面に凹設されてもよい。取っ手３５は、インナーフレーム１９の背面において円周方向の一部の区間に円弧状に形成されてもよい。
【０１７１】
取っ手３５は、インナーフレーム１９の外周部（取っ手３５が形成されていない外周部）より薄く、平面状に形成されてもよい。
【０１７２】
上記構成によれば、ドア１２が閉じた状態で本体１０の前方から見て、取っ手３５がインナーフレーム１９の背面外周部より前方に凹んで平面状に形成されるので、ドア１２が閉じた状態でユーザが取っ手３５に手を掛けることが容易であり、取っ手３５の位置を識別することが容易である。
【０１７３】
アウターフレーム１４とインナーフレーム１９とを結合するために、アウターフレーム１４及びインナーフレーム１９にはそれぞれフック３７、３６が形成される。
【０１７４】
フック３７、３６は、アウターフレーム１４に備えられる第１フック３７と、インナーフレーム１９に備えられる第２フック３６とからなるようにしてもよい。第１フック３７及び第２フック３６は、それぞれ円周方向にリング状に形成されてもよい。
【０１７５】
第１フック３７は、アウターフレーム１４からインナーフレーム１９に向かって突設されてもよい。第１フック３７は、インナーフレーム１９の外周部を囲むように、付着ガイド３４の半径方向外側に配置されてもよい。第１フック３７は、本体１０の前方から見て付着ガイド３４の外側に配置されてもよい。
【０１７６】
付着ガイド３４と第１フック３７とは、延長部３４１により一体に連結される。延長部３４１は、付着ガイド３４から第１フック３７に延びる。延長部３４１は、付着ガイド３４から第１フック３７へ行くにつれて直径が次第に大きくなるように延びる。延長部３４１は、曲面状に形成される。
【０１７７】
付着ガイド３４、延長部３４１及び第１フック３７は、それぞれアウターフレーム１４の円周方向に延びる。
【０１７８】
上記構成によれば、付着ガイド３４、延長部３４１及び第１フック３７は、アウターフレーム１４の外周面が１つの曲面からなるようにし、インナーフレーム１９を覆って本体１０の前方からインナーフレーム１９を遮蔽するので、ドア１２の外観が美麗になる。付着ガイド３４、延長部３４１及び第１フック３７は、それぞれシワ又は段差を有することなく、付着ガイド３４から第１フック３７へ行くにつれて直径が次第に大きくなるように、曲面状又は傾斜面状に形成される。
【０１７９】
第１フック３７と第２フック３６とは、半径方向に重なるように配置されてもよい。
【０１８０】
第１フック３７の直径の方が第２フック３６の直径より大きく、第１フック３７の内側に第２フック３６が挿入されるようにしてもよい。
【０１８１】
インナーフレーム１９の外周端と第２フック３６間には、装着溝１９１が円周方向に形成されてもよい。第２フック３６は、インナーフレーム１９の外周端から半径方向内側に段差を有するように形成されてもよい。装着溝１９１の半径方向高さは、第１フック３７の厚さと同程度に形成されてもよい。
【０１８２】
こうすることにより、アウターフレーム１４とインナーフレーム１９とが結合された状態で、第１フック３７の外周端とインナーフレーム１９の外周端間に段差がなくなるので、ドア１２の外観が美麗になる。
【０１８３】
第１フック３７は、アウターフレーム１４の外周部からインナーフレーム１９に向かって後方に突設される。第１フック３７は、フック突起３７１を有する。フック突起３７１は、第１フック３７の内周面から第２フック３６に向かって、半径方向内側に突設されてもよい。
【０１８４】
第２フック３６は、インナーフレーム１９の外周部からアウターフレーム１４に向かって前方に突設される。第２フック３６は、フック突起３６１を有する。フック突起３６１は、第２フック３６の外周面から第１フック３７に向かって、半径方向外側に突設されてもよい。第１フック３７のフック突起３７１と第２フック３６のフック突起３６１とは、半径方向に平行に突設されてもよい。
【０１８５】
フック突起３７１は、第１フック３７の端部にくさび状に形成され、フック突起３６１は、第２フック３６の端部にくさび状に形成されてもよい。第１フック３７のフック突起３７１と第２フック３６のフック突起３６１とは、軸方向に重なるように配置されてもよい。フック突起３７１、３６１は、第１フック３７と第２フック３６との結合は容易にし、逆方向の分離は許容しない。
【０１８６】
第１フック３７のフック突起３７１及び第２フック３６のフック突起３６１は、それぞれ、互いに結合する前に当接する第１傾斜面と、前記第１傾斜面の反対側に傾斜して形成され、互いに結合した後に当接する第２傾斜面とからなるようにしてもよい。フック突起３７１、３６１の第１傾斜面及び第２傾斜面は、フック突起３７１、３６１の頂点を境に傾斜の方向が逆になる。
【０１８７】
第１傾斜面の傾斜と第２傾斜面の傾斜とは異なってもよい。より具体的には、結合前に対向する各フック突起３７１、３６１の第１傾斜面の傾斜度の方が、結合後に対向する各フック突起３７１、３６１の第２傾斜面の傾斜度より小さくなるように形成されてもよい。
【０１８８】
すなわち、結合後に対向する各フック突起３７１、３６１の第２傾斜面の傾斜度の方が、結合前に対向する各フック突起３７１、３６１の第１傾斜面の傾斜度より大きくなるように形成されてもよい。
【０１８９】
上記構成によれば、第１フック３７と第２フック３６とが互いに向かって軸方向に移動してフック突起３７１、３６１同士が係合されることにより、アウターフレーム１４とインナーフレーム１９とが結合される。
【０１９０】
また、くさび状のフック突起３７１、３６１は、第１フック３７と第２フック３６との結合を容易にし、第１フック３７又は第２フック３６の破損がない限り、逆方向の分離を防止する。
【０１９１】
すなわち、アウターフレーム１４とインナーフレーム１９とを結合するために第１フック３７と第２フック３６とを互いに向かって軸方向に移動させる際には、結合前のフック突起３７１、３６１間の移動抵抗が低減され、第１フック３７と第２フック３６とが結合されてフック突起３７１、３６１の第２傾斜面同士が当接した状態では、結合が解除される方向の移動が制限される。
【０１９２】
高荷重のフロントガラス２０を支持し、アウターフレーム１４とインナーフレーム１９とのフック結合構造を強固に維持するために、アウターフレーム１４には弾性溝３８及び圧着部が備えられる。
【０１９３】
圧着部は、複数の圧着リブ３９、連結リブ４０及び支持リブ４１を含んでもよい。
【０１９４】
弾性溝３８は、アウターフレーム１４の背面において第１フック３７より半径方向内側に形成されてもよい。弾性溝３８は、アウターフレーム１４の平面部１５の背面において平面部１５の厚さ方向に凹設されてもよい。
【０１９５】
弾性溝３８は、平面部１５において第１フック３７の内周面に近い部分が厚さ方向にさらに凹むように形成される。こうすることにより、第１フック３７が薄くなり、半径方向外側に弾性変形可能になる。
【０１９６】
上記構成によれば、第２フック３６を第１フック３７の内側に軸方向に挿入する際に、第１フック３７のフック突起３７１と第２フック３６のフック突起３６１とが当接し、第１フック３７のフック突起３７１が半径方向外側に広がるので、第２フック３６のフック突起３６１が第１フック３７のフック突起３７１の内側に入りやすくなる。
【０１９７】
また、第２フック３６のフック突起３６１が第１フック３７のフック突起３７１の最高頂点を過ぎると、第１フック３７のフック突起３７１と第２フック３６のフック突起３６１との相互の半径方向の加圧力が解除されるので、第１フック３７が変形した位置から元の位置に復帰し、第１フック３７のフック突起３７１と第２フック３６のフック突起３６１とが係合される。
【０１９８】
平面部１５の背面には、複数の圧着リブ３９が形成されてもよい。圧着リブ３９は、平面部１５の背面から第２フック３６の内周面に接触可能に突設され、第１フック３７と第２フック３６とが結合されると第２フック３６を圧着するように構成される。圧着リブ３９は、平面部１５の円周方向に互いに離隔して配置されてもよい。
【０１９９】
より具体的には、圧着リブ３９は、第１フック３７と第２フック３６とが結合されると、第２フック３６の内周面を半径方向外側に圧着する。上記構成によれば、第２フック３６が半径方向内側に押されなくなるので、第１フック３７のフック突起３７１と第２フック３６のフック突起３６１とが係合された後、軸方向に離脱しなくなり、アウターフレーム１４とインナーフレーム１９との結合状態が強固に維持される。
【０２００】
すなわち、圧着リブ３９は、第２フック３６を圧着することにより、アウターフレーム１４とインナーフレーム１９との結合力を強化する。
【０２０１】
圧着リブ３９は、アウターフレーム１４の背面において弾性溝３８よりも半径方向内側に配置される。
【０２０２】
圧着リブ３９の背面には、弾性溝３８に向かって傾斜するように、進入ガイド面３９１が形成されてもよい。進入ガイド面３９１は、第２フック３６の移動をガイドし、第２フック３６が圧着リブ３９と第１フック３７間に挿入されるようにする。
【０２０３】
上記構成によれば、進入ガイド面３９１は、第２フック３６が第１フック３７の内側に入りやすくし、組立性を向上させる。
【０２０４】
アウターフレーム１４の背面には、後方に突出して円周方向に延びるように、リング状の連結リブ４０が形成されてもよい。連結リブ４０は、複数の圧着リブ３９を連結するように構成される。
【０２０５】
連結リブ４０は、平面部１５の背面において第１接着剤溢出溝４４１の反対側からインナーフレーム１９に向かって突設されてもよい。
【０２０６】
連結リブ４０は、一部又は全部が平面部１５の厚さ方向に第１接着剤溢出溝４４１と重なるように配置されてもよい。
【０２０７】
上記構成によれば、連結リブ４０は、接着剤溢出溝４４１により平面部１５の一側の厚さが薄くなって低下する剛性を補強する。
【０２０８】
弾性溝３８は、連結リブ４０と第１フック３７間に形成されてもよい。弾性溝３８は、連結リブ４０から第１フック３７へ行くにつれて平面部１５の厚さが次第に薄くなるように傾斜して形成される傾斜面を備えてもよい。
【０２０９】
アウターフレーム１４の背面には、複数の支持リブ４１が突設されてもよい。複数の支持リブ４１は、台形の板状に形成され、半径方向に延びるようにしてもよい。
【０２１０】
複数の支持リブ４１は、円周方向に離隔して配置されてもよい。複数の支持リブ４１の一側面は、それぞれ平面部１５の背面に一体に連結されてもよい。支持リブ４１の一側面に垂直な外側面は、連結リブ４０に一体に連結され、連結リブ４０により複数の支持リブ４１が互いに連結されるようにしてもよい。支持リブ４１の一側面及びその反対側である支持リブ４１の他側面は、平面部１５と平行に形成されてもよい。
【０２１１】
上記構成によれば、複数の支持リブ４１は、連結リブ４０の内側面と平面部１５に接するように一体に形成され、連結リブ４０と圧着リブ３９を強固に支持する。
【０２１２】
複数の支持リブ４１と複数の圧着リブ３９とは、連結リブ４０を挟んで連結リブ４０の内側及び外側に半径方向に対向して配置されてもよい。
【０２１３】
複数の支持リブ４１は、平面部１５の背面において平面部１５の厚さ方向に接着剤充填溝４３と重なるように配置されてもよい。
【０２１４】
上記構成によれば、支持リブ４１は、接着剤充填溝４３により低下する平面部１５の剛性を補強する。
【０２１５】
平面部１５の背面において、複数の接着剤溢出溝４４１、４４２のうち接着剤充填溝４３より内側に配置される第２接着剤溢出溝４４２の反対側には、補強リブ４２が突設されてもよい。
【０２１６】
補強リブ４２は、平面部１５の厚さ方向に第２接着剤溢出溝４４２と重なるように配置されてもよい。
【０２１７】
上記構成によれば、補強リブ４２は、第２接着剤溢出溝４４２により低下する平面部１５の剛性を補強する。
【０２１８】
取っ手３５は、インナーフレーム１９の一部分であり、インナーフレーム１９の外縁部のうち取っ手３５が形成されていない部分より薄く形成される。また、取っ手３５は、アウターフレーム１４のフック４６を軸方向に覆わないように形成される。
【０２１９】
取っ手３５は、板状に形成されてもよい。取っ手３５は、インナーフレーム１９の半径方向内側から外側へ行くにつれて厚くなるように、傾斜して形成されてもよい。
【０２２０】
上記構成によれば、取っ手３５がインナーフレーム１９の半径方向内側から外側へ行くにつれて厚くなるので、ユーザが手で取っ手３５を引く際に取っ手３５の背面で指が半径方向外側に滑ることが最小限に抑えられる。
【０２２１】
取っ手３５の背面には取っ手パッド３５１が取り付けられてもよい。取っ手パッド３５１は、所定の厚さに形成されてもよい。取っ手パッド３５１は、ゴム材質からなるようにしてもよい。取っ手パッド３５１は、ユーザの手が滑ることを防止する。
【０２２２】
取っ手パッド３５１の半径方向外側にはテーパ部が傾斜して形成されてもよい。テーパ部の端部は、フック４６の後端部に対応して形成されてもよい。
【０２２３】
上記構成によれば、アウターフレーム１４のフック４６と取っ手パッド３５１のテーパ部間に段差がないので、ユーザが手でドア１２の取っ手３５を引くために取っ手３５の背面に指を掛けることが容易であり、アウターフレーム１４と取っ手３５によりシンプルな外観が実現される。
【０２２４】
取っ手３５とアウターフレーム１４とのフック結合構造は、インナーフレーム１９とアウターフレーム１４とのフック結合構造とは異なる。
【０２２５】
取っ手３５には、取っ手３５の円周方向に離隔するように、複数のフック結合部４７が形成されてもよい。
【０２２６】
取っ手３５に形成される複数のフック結合部４７は、円周方向の長さが異なってもよい。
【０２２７】
アウターフレーム１４のフック４６と取っ手３５のフック結合部４７とは、半径方向に互いに向かって平行に突設されてもよい。
【０２２８】
アウターフレーム１４のフック４６は、アウターフレーム１４の外周部の内側面から半径方向内側に突設され、取っ手３５のフック結合部４７は、取っ手３５の外周面から半径方向外側に突設されてもよい。
【０２２９】
アウターフレーム１４とインナーフレーム１９とが結合されると、アウターフレーム１４のフック４６と取っ手３５のフック結合部４７とは、取っ手３５の厚さ方向に重なるように配置され、厚さ方向に係合される。
【０２３０】
アウターフレーム１４のフック４６の端部にはフック突起が備えられる。フック突起は、取っ手３５の側面に向かって突設される。フック突起の一側の角部には、所定の角度で傾斜するように、面取り部４６１が形成されてもよい。アウターフレーム１４のフック４６の他側には、フック４６の内周面に対して略垂直になるように、接触部４６２が形成されてもよい。
【０２３１】
取っ手３５のフック結合部４７の一側の角部には、所定の角度で傾斜するように、面取り部４７１が形成されてもよい。取っ手３５のフック結合部４７の他側には、フック結合部４７の外周面に対して略垂直になるように、接触部４７２が形成されてもよい。
【０２３２】
上記構成によれば、アウターフレーム１４とインナーフレーム１９とを前後方向（軸方向）に結合する際に、面取り部４６１、４７１が互いに当接するので、取っ手３５のフック結合部４７がアウターフレーム１４のフック４６の内側に入りやすい。
【０２３３】
また、アウターフレーム１４と取っ手３５とが結合されると、アウターフレーム１４のフック４６の接触部４６２と取っ手３５のフック結合部４７の接触部４７２とが面接触するので、互いに分離されない。
【０２３４】
アウターフレーム１４の平面部１５の背面には、弾性溝３８が厚さ方向に凹設され、フック４６の内側にフック結合部４７が挿入されると、弾性溝３８によりフック４６が半径方向外側に弾性変形する。
【０２３５】
また、フック結合部４７は、面取り部４６１、４７１により、フック４６の内側に入りやすくなる。
【０２３６】
さらに、フック４６とフック結合部４７とは、接触部４６２、４７２により、互いに分離されることが防止される。
【０２３７】
取っ手３５の一側からは、第１接着剤溢出溝４４１に向かって補強リブ４５が突設されてもよい。
【０２３８】
取っ手３５の補強リブ４５は、第１接着剤溢出溝４４１の反対側に接触するように配置されてもよい。取っ手３５の補強リブ４５は、第１接着剤溢出溝４４１により平面部１５の厚さが薄くなって低下する平面部１５の強度を補強する。
【０２３９】
また、補強リブ４５は、取っ手３５と平面部１５の間隔を一定に維持するスペーサの役割を果たす。よって、取っ手３５を薄くすることができる。
【０２４０】
さらに、補強リブ４５は、薄い取っ手３５の強度を補強すると共に、フック４６の接触部４６２とフック結合部４７の接触部４７２との接触状態を維持する。
【０２４１】
よって、アウターフレーム１４のフック４６と取っ手３５のフック結合部４７との結合構造により、アウターフレーム１４とインナーフレーム１９との結合性及び組立性を向上させることができる。
【符号の説明】
【０２４２】
１０  本体
１０２  衣類投入口
１１  コントロールユニット
１２  ドア
１３  ドアフレーム
１４  アウターフレーム
１５  平面部
１６  曲面部
１７  メッキ層
１８  開口部
１９  インナーフレーム
１９１  装着溝
１９２  当接部
２０  フロントガラス
２１  透光領域
２２  非透光領域
２２１  アライメントマーク
２３  ドアウィンドウ
２４  ヒンジユニット
２５  ヒンジ
２６  ベース部
２７  回転結合部
２８  ヒンジホルダ
２９  ブッシュ
３０  ロックユニット
３１  シャフト
３２  ドアラッチ
３３  スプリング
３４  付着ガイド
３４１  延長部
３５  取っ手
３５１  取っ手パッド
３６  第２フック
３６１  フック突起
３７  第１フック
３７１  フック突起
３８  弾性溝
３９  圧着リブ
３９１  進入ガイド面
４０  連結リブ
４１  支持リブ
４２  補強リブ
４３  接着剤充填溝
４４１  第１接着剤溢出溝
４４２  第２接着剤溢出溝
４５  補強リブ
４６  フック
４６１  面取り部
４６２  接触部
４７  フック結合部
４７１  面取り部
４７２  接触部
４８  水排出孔
【図１】
2020124489.tif 000003
【図２】
2020124489.tif 000004
【図３】
2020124489.tif 000005
【図４】
2020124489.tif 000006
【図５】
2020124489.tif 000007
【図６】
2020124489.tif 000008
【図７】
2020124489.tif 000009
【図８】
2020124489.tif 000010